(57)【要約】【課題】使用者が操作する毎に使用者の好みの設定などを自動的に調整することができる衛生洗浄装置システムを提供することを目的とする。【解決手段】無線により所定の情報を通信する通信手段３と、前記情報を記憶する記憶手段４と、前記通信手段３と記憶手段４を制御する制御手段５を有するＩＣタグ２と、前記ＩＣタグ２と情報を送受信する情報送受信手段７と、操作部９と、前記情報送受信手段７および操作部９を制御する機器制御手段１６とを有する衛生洗浄装置６とを備え、前記ＩＣタグ２は使用者１と一体的に設け、前記操作部９に制御指令のトリガをかける際に衛生洗浄装置６と情報を送受信する構成とした。これによって、衛生洗浄装置は、使用者が操作する毎にＩＣタグと通信するので、使用者の好みの設定を簡単に実現することができる。【選択図】図１
2006132125.tif 000002
【特許請求の範囲】
【請求項１】
無線により所定の情報を通信する通信手段と、前記情報を記憶する記憶手段と、前記通信手段と記憶手段を制御する制御手段を有するＩＣタグと、前記ＩＣタグと情報を送受信する情報送受信手段と、操作部と、前記情報送受信手段および操作部を制御する機器制御手段とを有する衛生洗浄装置とを備え、前記ＩＣタグは使用者と一体的に設け、前記操作部に制御指令のトリガをかける際に衛生洗浄装置と情報を送受信する構成とした衛生洗浄装置システム。
【請求項２】
衛生洗浄装置は、カレンダー機能部、使用者の情報を記憶する機器記憶手段を有し、制御指令のトリガによりＩＣタグ内の情報を収集して前記機器記憶手段に記憶するとともに、前記ＩＣタグはその記憶手段へ制御履歴の情報を記憶する構成とした請求項１に記載の衛生洗浄装置システム。
【請求項３】
機器制御手段に、ＩＣタグの使用者の情報を登録する登録手段を有する請求項１または２に記載の衛生洗浄装置システム。
【請求項４】
サービス会社の情報提供サーバーと衛生洗浄装置とを所定の手順によるネットワークで接続する情報通信手段を備えた請求項１〜３のいずれか１項に記載の衛生洗浄装置システム。
【請求項５】
請求項１〜４のいずれか１項に記載の衛生洗浄装置システムにおける機能の少なくとも一部をコンピュータに実行させるためのプログラム。
【発明の詳細な説明】
【技術分野】
【０００１】
本発明は、使用者が何らかの操作を施すことによって、使用者に対応した操作性の向上、有益なサービスを受けることができる衛生洗浄装置システムおよびそのプログラムに関するものである。
【背景技術】
【０００２】
従来、衛生洗浄装置システムにおいては、例えば、洗浄ノズルの位置を変えことができるなど、使用者の好みに機能を設定することができるものが知られている（例えば、特許文献１参照）。
【０００３】
これは、図５に示すように、洗浄装置本体１００にリモコン１０１が配され、リモコン１０１の洗浄スイッチ１０２、乾燥スイッチ１０３を押すと局部の洗浄、乾燥を実行する。またそれぞれの洗浄スイッチ１０２、乾燥スイッチ１０３には、使用者の好みの水量や、温度に設定する設定手段１０４が設けられている。制御手段１０５は洗浄スイッチ１０２、乾燥スイッチ１０３の入力監視と、設定手段１０４によるポンプ１０６、ヒータ１０７の制御を行う。
【０００４】
また、洗浄スイッチ１０２においては、洗浄開始の時には、プリセットされた洗浄水量で洗浄し、その後使用者が設定手段１０４を操作することによって水量を変更することもできる。また、特に水量を強く望まれる使用者のために特別な強設定スイッチを独立させる例もある。
【特許文献１】特開２００２−８８８７２号公報
【発明の開示】
【発明が解決しようとする課題】
【０００５】
しかしながら、前記従来の衛生洗浄装置システムの構成では、洗浄開始時の水量の好みは個人差がある。また、強設定水量スイッチなどのスイッチを設けるのはスイッチ数を増やすことで衛生洗浄装置本体の寸法が大きくなることや、操作の間違いも発生しやすい課題があった。
【０００６】
また、衛生洗浄装置の使用者が、使用者の使用パターンによる最適な衛生洗浄装置の制御方法を提供できない課題もあった。
【０００７】
本発明は、前記の従来の課題を解決するもので、使用者が操作する毎に使用者の好みの設定（水量、洗浄温度、乾燥温度、風量）などを自動的に調整することができる衛生洗浄装置システムおよびそのプログラムを提供することを目的とする。
【課題を解決するための手段】
【０００８】
前記従来の課題を解決するために、本発明の衛生洗浄装置システムおよびそのプログラムは、無線により所定の情報を通信する通信手段と、前記情報を記憶する記憶手段と、前記通信手段と記憶手段を制御する制御手段を有するＩＣタグと、前記ＩＣタグと情報を送受信する情報送受信手段と、操作部と、前記情報送受信手段および操作部を制御する機器制御手段とを有する衛生洗浄装置とを備え、前記ＩＣタグは使用者と一体的に設け、前記操作部に制御指令のトリガをかける際に衛生洗浄装置と情報を送受信する構成としたものである。
【０００９】
これによって、衛生洗浄装置は、使用者が操作する毎にＩＣタグと通信するので、使用者の好みの設定を簡単に実現することができる。
【発明の効果】
【００１０】
本発明の衛生洗浄装置システムおよびそのプログラムは、例えば、水量、洗浄温度、乾燥温度、風量など、使用者の好みの設定を簡単に実現することができる。
【発明を実施するための最良の形態】
【００１１】
第１の発明は、無線により所定の情報を通信する通信手段と、前記情報を記憶する記憶手段と、前記通信手段と記憶手段を制御する制御手段を有するＩＣタグと、前記ＩＣタグと情報を送受信する情報送受信手段と、操作部と、前記情報送受信手段および操作部を制御する機器制御手段とを有する衛生洗浄装置とを備え、前記ＩＣタグは使用者と一体的に設け、前記操作部に制御指令のトリガをかける際に衛生洗浄装置と情報を送受信する構成とした衛生洗浄装置システムとすることにより、衛生洗浄装置は、使用者が操作する毎にＩＣタグと通信するので、使用者の好みの設定を簡単に実現することができる。
【００１２】
第２の発明は、特に、第１の発明において、衛生洗浄装置は、カレンダー機能部、使用者の情報を記憶する機器記憶手段を有し、制御指令のトリガによりＩＣタグ内の情報を収集して前記機器記憶手段に記憶するとともに、前記ＩＣタグはその記憶手段へ制御履歴の情報を記憶する構成としたことにより、使用者の操作のパターンや習慣を間接的に把握できる。また、ＩＣタグ内の記憶手段に制御履歴を記憶することによってＩＣタグを有する別の衛生洗浄装置システムでも同様の制御を実行することができる。
【００１３】
第３の発明は、特に、第１または第２の発明において、機器制御手段に、ＩＣタグの使用者の情報を登録する登録手段を有することにより、衛生洗浄装置システムを使用する使用者の情報を登録し、登録された使用者毎の制御履歴情報を記憶することができ、各家庭の操作パターンや生活リズムを把握することができる。
【００１４】
第４の発明は、特に、第１〜第３のいずれか１つの発明において、サービス会社の情報提供サーバーと衛生洗浄装置とを所定の手順によるネットワークで接続する情報通信手段を備えたことにより、機器を操作する毎に記憶された使用者の制御履歴の情報を外部の情報提供サーバーと通信することで、使用者にさらに便利で快適な衛生洗浄装置の制御を実現することができる。
【００１５】
第５の発明は、特に、第１〜第４のいずれか１つの発明の衛生洗浄装置システムにおける機能の少なくとも一部をコンピュータに実行させるためのプログラムとすることにより、プログラムであるので、電気・情報機器、コンピュータ、サーバーなどのハードリソースを協働させて本発明の衛生洗浄装置システムの少なくとも一部を容易に実現することができる。また、記録媒体に記録したり通信回線を用いてプログラムを配信したりすることでプログラムの配布・更新やそのインストール作業が簡単にできる。
【００１６】
以下、本発明の実施の形態について、図面を参照しながら説明する。なお、本実施の形態によって本発明が限定されるものではない。
【００１７】
（実施の形態１）
図１は、本発明の実施の形態１における衛生洗浄装置システムの全体構成を示している。
【００１８】
図に示すように、使用者１にＩＣタグ２が常に接触する形で貼付などして一体的に設けられている。このＩＣタグ２には無線で所定の情報を通信する通信手段３、通信した情報を記憶する記憶手段４、通信手段３と記憶手段４を制御する制御手段５を有する。なお、本実施の形態のＩＣタグ２は通信する無線の電力により電源を供給し特定の電源や電池を必要とはしないパッシブ型のＩＣタグである。
【００１９】
衛生洗浄装置６は、使用者に接触されたＩＣタグ２と情報を送受信する情報通信手段７、衛生洗浄装置６を操作するための本体リモコン８、本体リモコン８を操作する操作部９、衛生洗浄装置６の状態を表示する表示部１０、トイレ内に設置されたワイヤレスリモコン１１、ワイヤレスリモコン１１の操作部１２およびその表示部１３、これらの操作部９、１２、表示部１０、１３、情報通信手段７、本体リモコン８、ワイヤレスリモコン１１の制御、使用者の局部の洗浄、乾燥の制御を行う制御部１４、本体リモコン８とワイヤレスリモコン１１と制御部１４との間で通信を行う通信インタフェース１５、これら各部７〜１５の制御を行う機器制御手段１６を有している。
【００２０】
使用者に一体的に設けたＩＣタグ２の記憶手段４内の情報は、使用者が衛生洗浄装置６の本体リモコン８の操作部９を操作し、制御指令のトリガをかけると、本体リモコン８から情報送受信手段７よりＩＣタグ２の通信手段３へ制御情報を乗せた搬送電波を送信する。ＩＣタグ２は通信手段３がこの搬送電波を受信し、この電波によって供給される電力で制御手段５が起動され、記憶手段４に記憶された使用者の好みの設定情報を搬送電波で反射して送信する。また、このときの設定制御情報を新たに記憶手段４に記憶する。
【００２１】
この一連の操作は、使用者に接触されたＩＣタグ２が操作部９を操作する毎に実行される。例えば、使用者が、設定水量弱めとした時にＩＣタグ２の記憶手段４には設定水量弱めの情報が記憶される。
【００２２】
また、本体リモコン８に情報送受信手段７を設けているが、ワイヤレスリモコン１１側に設けてもよいし、両方に設けてもよくその構成に限定されない。
【００２３】
また、使用者に一体的に設けたＩＣタグ２は、リストバンドや、指輪、体内への埋めこみなどその形態も限定されないものである。
【００２４】
以上のように構成された衛生洗浄装置システムにおいて、使用者に一体的に設けたＩＣタグ２は、機器に制御指令のトリガをかける度に、機器の制御情報をＩＣタグ２に送受信する構成とすることにより、例えば、水量、洗浄温度、乾燥温度、風量など、使用者の好みの設定を自動的に実現することができる。
【００２５】
（実施の形態２）
図２は、本発明の実施の形態２における衛生洗浄装置システムの全体構成を示している。実施の形態１と同一要素については同一符号を付して説明を省略する。
【００２６】
図に示すように、本実施の形態においては、衛生洗浄装置６は、機器制御手段１６にカレンダー機能部１７を有するとともに、機器記憶手段１８をも有している。
【００２７】
使用者１は、操作部９の制御指令のトリガによりＩＣタグ２内の情報を、情報送受信手段７を介して収集し、機器記憶手段１８に記憶する。この使用者の使用履歴はカレンダー機能部１７による時間情報と使用者の操作のパターンとの情報を併せて生活リズムを間接的に把握することができる。例えば、ある使用者がお年寄りで、午前６時ごろの使用頻度が高い場合は、その時間帯に合わせて洗浄の設定温度をあらかじめ設定しておけば、無駄なエネルギーの消費を抑えたりすることも可能となりその利便性は向上する。
【００２８】
また、ＩＣタグ２内の記憶手段４に制御履歴を記憶することによって、ＩＣタグ２を有する別の衛生洗浄装置システムでも同様の制御を実行することができ、外出先でも普段設定している水量などを実現することも可能となる。
【００２９】
（実施の形態３）
図３は、本発明の実施の形態３における衛生洗浄装置システムの全体構成を示している。実施の形態１、２と同一要素については同一符号を付して説明を省略する。
【００３０】
図に示すように、本実施の形態においては、衛生洗浄装置６に、ＩＣタグ２の使用者１の情報を登録する登録手段１９を有する。
【００３１】
登録手段１９への登録方法としては、本体リモコン８の操作部９に登録ボタン（図示せず）を設けて、登録ボタン押下とともにＩＣタグ２の使用者１に関する情報を登録する。操作部９には、使用者の個人情報（年齢、性別など）を入力してもよいし、別の書込み装置でＩＣタグ２に書き込んでもよい。
【００３２】
記憶手段４に記憶された個人情報は、情報送受信手段７を介して使用者毎に機器記憶手段１８に登録されるので、各家庭の操作パターンや生活リズムを把握することができ、トータルの省エネルギーを実現することができる。
【００３３】
（実施の形態４）
図４は、本発明の実施の形態４における衛生洗浄装置システムの全体構成を示している。実施の形態１〜３と同一要素については同一符号を付して説明を省略する。
【００３４】
図に示すように、本実施の形態においては、サービス会社２０と、サービス会社２０の情報提供サーバー２１と衛生洗浄装置６とを所定の手順によるネットワークで接続する情報通信手段２２、情報通信手段２２で収集した使用者１の情報を蓄積する蓄積手段２３を有する。
【００３５】
本体リモコン８の操作部９で操作する毎に記憶された使用者１の制御履歴の情報は、情報通信手段２２を介して外部サービス会社２０の情報提供サーバー２１の蓄積手段２３に記憶される。外部サービス会社２０との情報の通信はインターネットを介して行い、認証や、情報の暗号化など所定の手順でサービス提供の確認が取れた後、使用者１の制御履歴の情報を情報提供サーバー２１の蓄積手段２３に記憶される。
【００３６】
サービス会社２０は、使用者の個人情報や、衛生洗浄装置の制御履歴に応じて使用者１に有益な制御方法を提供したり、衛生洗浄制御の実行プログラムを変更したりすることもできる。
【００３７】
また、情報送受信手段７を介してＩＣタグ２の記憶手段４に情報提供サーバー２１からの衛生洗浄装置６の制御実行プログラムを記憶することも可能であり、使用者にさらに便利で快適な衛生洗浄装置の制御を実現することができる。
【００３８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバーなどのハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００３９】
以上のように、本発明にかかる衛生洗浄装置システムおよびそのプログラムは、例えば、水量、洗浄温度、乾燥温度、風量など、使用者の好みの設定を簡単に実現することができるので、各種衛生洗浄装置システムの使用性の向上が可能となる。
【図面の簡単な説明】
【００４０】
【図１】本発明の実施の形態１における衛生洗浄装置システムの全体構成図
【図２】本発明の実施の形態２における衛生洗浄装置システムの全体構成図
【図３】本発明の実施の形態３における衛生洗浄装置システムの全体構成図
【図４】本発明の実施の形態４における衛生洗浄装置システムの全体構成図
【図５】従来の衛生洗浄装置システムの構成図
【符号の説明】
【００４１】
１  使用者
２  ＩＣタグ
３  通信手段
４  記憶手段
５  制御手段
６  衛生洗浄装置
７  情報送受信手段
９  操作部
１６  機器制御手段
１７  カレンダー機能部
１８  機器記憶手段
１９  登録手段
２０  サービス会社
２１  情報提供サーバー
２２  情報通信手段
【図１】
2006132125.tif 000003
【図２】
2006132125.tif 000004
【図３】
2006132125.tif 000005
【図４】
2006132125.tif 000006
【図５】
2006132125.tif 000007